(57)【要約】【課題】遊技者がコインを投入することができるコイン投入ユニット、遊技機であって、コイン投入方法の選択の幅を広げ、遊技者が自身の体型や利き腕の違い等に応じて、投入しやすいコイン投入方法を適宜選択することができるコイン投入ユニット、遊技機を提供すること。【解決手段】このコイン投入ユニット１３は、略長方形の開口形状を呈して、コインが投入可能な投入口１５と、投入口の近傍に形成された収容部１４ｃに収容された位置と、収容部から突出した位置とに移動可能に配置されて、突出した位置ではコイン２１に当接してそのコインの投入を補助する補助壁部材１６ａ，１６ｂとを有している。【選択図】図２
2008220459.tif 000002
【特許請求の範囲】
【請求項１】
略長方形の開口形状を呈して、コインが投入可能な投入口と、
該投入口の近傍に形成された収容部に収容された位置と、前記収容部から突出した位置とに移動可能に配置されて、前記突出した位置では前記コインに当接してそのコインの投入を補助する補助壁部材と、を有するコイン投入ユニット。
【請求項２】
前記補助壁部材が、前記突出した位置で前記投入口の両長辺の外側にそれぞれ配置された請求項１に記載のコイン投入ユニット。
【請求項３】
前記補助壁部材のうちいずれか一方の補助壁部材が前記突出した位置に移動すると、その移動に連動して他方の補助壁部材を前記突出した位置から前記収容された位置に移動させる自動切換部をさらに有する請求項２に記載のコイン投入ユニット。
【請求項４】
前記補助壁部材が、前記収容部に押し込み可能とされ、
前記収容された位置にある前記補助壁部材が押し込まれるとその補助壁部材を前記突出した位置に配置させ、前記突出した位置にある前記補助壁部材が押し込まれるとその補助壁部材を前記収容された位置に配置させるスイッチ機構をさらに有する請求項１から請求項３のうちいずれか１項に記載のコイン投入ユニット。
【請求項５】
前記補助壁部材に、所定の情報を表示可能な情報表示部が形成されている請求項１から請求項４のうちいずれか１項に記載のコイン投入ユニット。
【請求項６】
前記投入口の両長辺からそれぞれ外側に向けて延びるように形成されて、前記コインを前記投入口に案内するための案内路をさらに有する請求項１から請求項５のうちいずれか１項に記載のコイン投入ユニット。
【請求項７】
前記案内路の中心軸が前記投入口の長辺に対して非直角に構成されている請求項６に記載のコイン投入ユニット。
【請求項８】
遊技機を囲む枠体と、
該枠体の少なくとも一部に保持され、遊技媒体による遊技を演出する遊技装置体と、
該遊技装置体に対して一定距離離間して配置された前面透明板と、
該前面透明板の周囲を囲む装飾部材を保持し、前記枠体に対して前面開閉可能に揺動支持された装飾枠と、
請求項１から請求項７のうちいずれか１項に記載のコイン投入ユニットと、を有する遊技機。
【請求項９】
遊技機を囲む枠体と、
該枠体の少なくとも一部に保持され、遊技媒体による遊技を演出する遊技装置体と、
該遊技装置体に対して一定距離離間して配置された前面透明板と、
該前面透明板の周囲を囲む装飾部材を保持し、前記枠体に対して前面開閉可能に揺動支持された装飾枠と、
該装飾枠の幅方向中央から左右いずれかに偏った位置に配置された請求項７に記載のコイン投入ユニットと、を有し、
前記投入口の長辺が、遊技機の前後方向と略平行とされ、
前記投入口の長辺のうち前記装飾枠の幅方向中央側の長辺から延びる案内路の中心軸はその長辺から離れるほど前側に向かい、前記装飾枠の幅方向側方側の長辺から延びる案内路の中心軸はその長辺から離れるほど後側に向かうように構成されている遊技機。
【発明の詳細な説明】
【技術分野】
【０００１】
本発明は、コイン投入ユニット、遊技機に係り、特に遊技者が自身の体型や利き腕の違い等に応じてコイン投入方法を選択することができるコイン投入ユニット、遊技機に関する。
【背景技術】
【０００２】
パチンコ機等の遊技機では、弾球された球が遊技盤面上を流下して、その流下の過程で球が遊技盤面上のゲージ（釘ともいう。）や羽根車に衝突しつつ転回して流下方向が変化する。そして、遊技盤面上に配置された各種入賞口や入球口への球の入賞に基づき所定の景品獲得が可能に構成されており、遊技者は、弾球における自らの技量を発揮して、又は球の流下における偶然性を利用しつつ球の入賞、入球及び景品払出しを期待し、遊技を楽しむのである。
【０００３】
例えば、雀球機やアレンジボール機等の組合せ式パチンコ機は、コインを投入すると所定個数（例えば、１１個。）の球が封入循環状態で発射可能に準備される。そして、その球を１球ずつ狙いを定めて球発射して遊技を行うのである。遊技盤面上には、多数の入球口が配置されており、その多数の入球口のうちいずれの入球口に球が入球したかによって生じる組合せに基づき、遊技者に対して景品の払出しが行われるようになっている。組合せの態様によって景品数が異なり、その景品払出しはコインの払出し（排出又はクレジット等。）によって行われる。
【０００４】
このような組合せ式パチンコ機においては、所定個数の球の発射によって１回の遊技が終了する。遊技者は１回の遊技が終了するたびに次の遊技のためのコインを投入したり、複数回の遊技を行うために予めたくさんのコインを投入しておいたりする。したがって、遊技者が遊技機にコインを投入することが頻繁に行われ、また投入枚数も多量になることが多い。コインの投入しにくい遊技機はスムーズに遊技を行うことができず遊技者にストレスが溜まりやすいため遊技者に敬遠されやすい。つまり、コインの投入のしやすさが遊技機の評価を左右する大きな一因となっている。
【０００５】
そこで、遊技者がコインを投入しやすいように、コインの投入口の長辺を遊技機の幅方向と平行にし、遊技者が投入しようとするコインに当接してコインの投入を補助する壁を投入口の奥に形成したコイン投入ユニットが従来より知られている。そのようなものの例として、例えば特許文献１に開示のものがある。
【０００６】
【特許文献１】特開２００２−９５７９１号公報
【発明の開示】
【発明が解決しようとする課題】
【０００７】
特許文献１に記載されたコイン投入ユニットは、投入口の奥の壁に押し当てながらコインを投入することができるというものであるが、コインを投入する遊技者の体型や利き腕はその遊技者によって様々であり、遊技者の体型や利き腕によってはその投入方法ではコインを投入しにくいと感じる場合もある。
【０００８】
そして、特許文献１に記載のコイン投入ユニットでは、いったん遊技機に取り付けてしまうとコインの投入方法が略必然的に定まってしまい、遊技者の体型や利き腕の違い等から生じる好みの違いに柔軟に対応することができないという問題がある。
【０００９】
本発明は上記の事情に鑑みて為されたもので、遊技者がコインを投入することができるコイン投入ユニット、遊技機であって、コイン投入方法の選択の幅を広げ、遊技者が自身の体型や利き腕の違い等に応じて、投入しやすいコイン投入方法を適宜選択することができるコイン投入ユニット、遊技機を提供することを例示的課題とする。
【課題を解決するための手段】
【００１０】
上記の課題を解決するために、本発明の例示的側面としてのコイン投入ユニットは、略長方形の開口形状を呈して、コインが投入可能な投入口と、投入口の近傍に形成された収容部に収容された位置と、収容部から突出した位置とに移動可能に配置されて、突出した位置ではコインに当接してそのコインの投入を補助する補助壁部材とを有する。
【００１１】
補助壁部材が投入口の近傍に配置されているので、遊技者はコインを補助壁部材に当接させることで円滑に投入口にそのコインを投入することができる。また、補助壁部材を収容部に収容したり、収容部から突出させたりできるので、遊技者は補助壁部材を移動させることで、補助壁部材による補助を受けてコインを投入することも、補助壁部材による補助を受けずにコインを投入することもできる。したがって、遊技者は自身の好みに合ったコインの投入方法を選択することができる。また、補助壁部材を使用しない場合に、その補助壁部材を収容部に収容すれば遊技の邪魔になることがなく、見栄えを悪くすることもない。
【００１２】
ここで、投入を補助するとは、コインの位置や向きを投入に適した状態にして円滑なコイン投入を可能とすることをいい、例えば、遊技者が補助壁部材にコインを当接させれば、その位置や向きが補正され、そのままコインを落下させれば投入口内にコインを落下させることができるようにすることをいう。
【００１３】
補助壁部材が、突出した位置で投入口の両長辺の外側にそれぞれ配置されていてもよい。補助壁部材が投入口の両長辺の外側にそれぞれ配置されているので、投入口のどちら側からコインを投入しても、補助壁部材の補助による円滑なコイン投入が実現できる。しかも、補助壁部材が収容部に収容された位置と、収容部から突出した位置とに移動可能に配置されているので、使用しない補助壁部材を収容部に収容させておくことができ、その補助壁部材がコイン投入を邪魔することがない。また、コインの投入方向に合わせて補助壁部材を移動させることができるので、例えば遊技者がコインの投入方向を遊技中に変えた場合でも、補助壁部材を移動させることで柔軟に対応することができる。
【００１４】
補助壁部材のうちいずれか一方の補助壁部材が突出した位置に移動すると、その移動に連動して他方の補助壁部材を突出した位置から収容された位置に移動させる自動切換部を有していてもよい。自動切換部を有しているので、コイン投入を補助する位置と補助しない位置とに補助壁部材同士が交互に移動して、遊技者に対して、常に補助壁部材が適切な位置にある状態でコイン投入ユニットを提供することができる。また、遊技者がそれぞれの補助壁部材をわざわざ移動させなくても一方の補助壁部材を移動させれば自動で補助壁部材が移動するので、大変便利である。
【００１５】
補助壁部材が、収容部に押し込み可能とされ、収容された位置にある補助壁部材が押し込まれるとその補助壁部材を前記突出した位置に配置させ、突出した位置にある補助壁部材が押し込まれるとその補助壁部材を収容された位置に配置させるスイッチ機構を有していてもよい。
【００１６】
補助壁部材が収容部に押し込まれると、その配置位置が変わるので、遊技者は補助壁部材を収容部に押し込み操作するだけで補助壁部材の位置を変更することができる。わざわざ補助壁部材を収容部から引き抜いたりする必要がなく、簡単で便利である。
【００１７】
補助壁部材に、所定の情報を表示可能な情報表示部が形成されていてもよい。補助壁部材に情報表示部が形成されているので、情報表示部を用いて様々な情報を発信することができる。例えば、補助壁部材を突出した位置に配置した場合に、投入口のどちら側からコインを投入すればよいかを情報表示部に表示すれば、遊技者は投入方向を迷ったり間違えたりすることなく、確実かつ円滑にコインを投入することができるようになる。また、補助壁部材が収容部に収容されれば情報表示部も収容部に収容されるので、補助壁部材を使用しない場合に情報表示部が邪魔になったり見栄えを悪くしてしまったりすることもない。
【００１８】
投入口の両長辺からそれぞれ外側に向けて延びるように形成されて、コインを投入口に案内するための案内路を有していてもよい。投入口の両長辺からそれぞれ外側に向けて延びるように案内路が形成されているので、遊技者は両長辺のどちら側からでもコインを投入口に向けて案内することができるので便利である。遊技者は自身の利き腕や体型に合わせて、どちら側からコインを案内してもコイン投入が可能であり、コインの投入方向（投入方法）を選択することができる。
【００１９】
案内路の中心軸が投入口の長辺に対して非直角に構成されていてもよい。案内路の中心軸が投入口の長辺に対して非直角に構成されているので、コイン投入口の長辺に対して非直角となる方向、つまり長辺に対して斜め方向からコインを投入可能となる。したがって、コイン投入口の遊技機に対する取付け方向に拘泥されることなく、遊技者が自然な動作でコインを投入できる角度で案内路を形成することができる。
【００２０】
本発明の他の例示的側面としての遊技機は、遊技機を囲む枠体と、枠体の少なくとも一部に保持され、遊技媒体による遊技を演出する遊技装置体と、遊技装置体に対して一定距離離間して配置された前面透明板と、前面透明板の周囲を囲む装飾部材を保持し、枠体に対して前面開閉可能に揺動支持された装飾枠と、上記コイン投入ユニットとを有する。
【００２１】
補助壁部材が投入口の近傍に配置されているので、遊技者はコインを補助壁部材に当接させることで円滑に投入口にそのコインを投入することができる。また、補助壁部材が収容部に収容された位置と収容部から突出した位置とに移動可能とされているので、遊技者は補助壁部材を移動させることで、補助壁部材による補助を受けてコインを投入することも、補助壁部材による補助を受けずにコインを投入することもできる。したがって、遊技者は自身の好みに合ったコインの投入方法を選択することができる。また、補助壁部材を使用しない場合に、その補助壁部材を収容部に収容すれば遊技の邪魔になることがなく、見栄えを悪くすることもない。
【００２２】
本発明のさらに他の例示的側面としての遊技機は、遊技機を囲む枠体と、枠体の少なくとも一部に保持され、遊技媒体による遊技を演出する遊技装置体と、遊技装置体に対して一定距離離間して配置された前面透明板と、前面透明板の周囲を囲む装飾部材を保持し、枠体に対して前面開閉可能に揺動支持された装飾枠と、装飾枠の幅方向中央から左右いずれかに偏った位置に配置された上記コイン投入ユニットとを有し、投入口の長辺が、遊技機の前後方向と略平行とされ、投入口の長辺のうち装飾枠の幅方向中央側の長辺から延びる案内路の中心軸はその長辺から離れるほど前側に向かい、装飾枠の幅方向側方側の長辺から延びる案内路の中心軸はその長辺から離れるほど後側に向かうように構成されている。
【００２３】
移動可能とされた補助壁部材を有する球投入ユニットを有しているので、遊技者はコインを円滑に投入口に投入することができるとともに、コインの投入方法を選択することができる。したがって、遊技者はコイン投入について、ストレスをあまり感じることなく快適に遊技を行うことができる。
【００２４】
また、投入口の長辺が、遊技機の前後方向と略平行とされ、投入口の長辺のうち装飾枠の幅方向中央側の長辺から延びる案内路の中心軸はその長辺から離れるほど前側に向かい、装飾枠の幅方向側方側の長辺から延びる案内路の中心軸はその長辺から離れるほど奥側に向かうように構成されているので、遊技者はより自然な動作でコインを投入することができる。遊技機の幅方向中央側からコインを投入する場合には、コインを中央側の案内路に沿わせて斜め前方に押し出すように案内すればよく、遊技機の幅方向側方側からコインを投入する場合には、コインを側方側の案内路に沿わせて自身に引き寄せるように案内すればよい。
【００２５】
なお、本願においては、遊技機から遊技者に向かう方向が「前方」・「前側」であり、前方を向く面が「前面」である。逆に遊技者から遊技機に向かう方向が「後方」・「後側」であり、後方を向く面が「後面（背面、裏面ともいう。）」である。また、遊技者から見て左方向を「左」・「左側」であり、遊技者から見て右側が「右」・「右側」である。
【００２６】
本発明の更なる目的又はその他の特徴は、以下添付図面を参照して説明される好ましい実施の形態によって明らかにされるであろう。
【発明の効果】
【００２７】
投入口へのコインの投入を補助するとともに移動可能とされた補助壁部材を設けることで、遊技者がコイン投入を円滑に行えるとともに遊技者が自身の好む投入方法を選択できるようなコイン投入ユニットを提供することができる。さらに、投入口の両長辺からそれぞれ外側に向けてコインを案内するための案内路を形成することで、投入口のどちら側からでもコインを円滑に投入可能とすることができる。
【発明を実施するための最良の形態】
【００２８】
［実施の形態１］
以下、本発明の実施の形態１について図面を用いて説明する。図１は、本発明の実施の形態１に係る遊技機としての雀球機２の外観斜視図である。この雀球機２は、筐体枠（枠体の一部。）４、遊技盤（遊技装置体）６、機枠（枠体の一部。）８、前面ガラス（前面透明板）１０、装飾枠１２、コイン投入ユニット１３、ハンドル３０、受皿１７を有している。
【００２９】
遊技機は、コインを投入して遊技を行う遊技機であり、特にアレンジボール機等の組合せ式パチンコ機、封入循環式パチンコ機、等の種々のパチンコ機及びスロット機を含む。本実施の形態１においては、その中でも特に雀球機２を例示して説明する。
【００３０】
筐体枠４は、この雀球機２の周囲を囲む枠体であり、平面視略長方形に構成され、材料としては木材・樹脂・金属等が適用可能である。筐体枠４は、雀球機２の上下面及び左右側面を囲み、前方から見て左側面側には機枠８及び装飾枠１２を揺動支持するためのヒンジ部（揺動支持部）１８が設けられている。
【００３１】
遊技盤６は、この雀球機２において、遊技媒体としての球２０の流下による遊技を実現するための遊技装置体である。遊技盤６の遊技盤面６ａ上には、ランプ２２、通過口（ゲート）２４、入球口２６等の多数の役物が配置されている。また、遊技盤面６ａの下方部分には、各々所定の麻雀牌に対応して多数の下部入球口２８が横一列に並んで配置されている。
【００３２】
遊技盤面６ａには、球２０の流下方向を変化させるための多数のゲージ（障害釘、図示せず。）も配置されており、遊技盤面６ａ上を流下する球２０がゲージに衝突しつつ通過口２４を通過したり入球口２６，２８に入球したりすることによって遊技が演出されるが、これら役物についての詳細な説明は省略する。
【００３３】
機枠８は、遊技盤６を保持するための枠体で、筐体枠４の前方に配置されてヒンジ部１８において筐体枠４に揺動支持され、筐体枠４に対して前面開閉可能とされている。
【００３４】
機枠８の下方部分には、遊技盤６に向けて球２０を発射するためのハンドル３０が設けられている。ハンドル３０は、遊技者の手動操作に基づいて回転可能とされた球発射用のハンドルであって、本実施の形態１においては回転支軸部３０ａ、レバー部３０ｂを有して構成されている。
【００３５】
レバー部３０ｂは、ハンドル３０の回転中心となる回転支軸部３０ａから回転半径方向に向けて延長された部分であって、遊技者が手で直接操作する部分である。遊技者がハンドル３０を所定方向（矢印Ｘの方向。）に所定量回転させ、手を離すと遊技盤面上に球２０が発射されるようになっている。本実施の形態１においては、ハンドル３０の回転量に応じた強度で球２０が発射されるようになっている。
【００３６】
なお、この雀球機２においては、所定個数（例えば、１１個。）の球２０が機内に封入循環されており、遊技盤６に向けて発射された球２０が遊技盤面６ａを流下し、所定の球経路を通って球供給装置へと導かれ、その球供給装置によって再び球発射位置へと送り出されるようになっている。
【００３７】
前面ガラス１０は、遊技盤６に対して一定距離離間して配置された透明板である。前面ガラス１０は透明平板ガラスで形成され、遊技盤６との間に球２０が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００３８】
装飾枠１２は、前面ガラス１０とその周囲を囲む装飾部材３６とを保持するための枠体である。その装飾枠１２は、機枠８の前面側に配置されてヒンジ部１８において機枠８とともに筐体枠４に揺動支持され、機枠８に対して前面開閉可能とされている。
【００３９】
装飾枠１２の略中央部には遊技者の視認確保のために大きく開口された中央開口１２ａが形成され、その中央開口１２ａに前面ガラス１０が取り付けられている。
【００４０】
中央開口１２ａの下方には前方（遊技者側）に膨出する膨出部１２ｂが形成され、その膨出部１２ｂにコイン投入ユニット１３、液晶表示部３２ａ、操作ボタン３２ｂが配置されている。
【００４１】
コイン投入ユニット１３は、装飾枠１２の幅方向中央から左に偏った位置に配置されている。本実施の形態１ではコイン投入ユニット１３を左に偏らせているが、右に偏らせて配置してももちろん構わない。図２に示すようにコイン投入ユニット１３は、案内部材１４、左壁部材（補助壁部材）１６ａ、右壁部材（補助壁部材）１６ｂを有して大略構成されている。案内部材１４には、投入口１５、左案内溝（案内路）１４ａ、右案内溝（案内路）１４ｂ、収容空間（収容部）１４ｃ、収容開口１４ｄが形成されている（図３（ａ），（ｂ）も参照。）。
【００４２】
投入口１５は略長方形の開口形状を呈しており、遊技開始のためにコイン２１を投入するための開口である。投入口１５から投入されたコイン２１は略垂直に落下し、遊技機内に収容される。本実施の形態１では、所定枚数（例えば、３枚。）のコインで１回の遊技が行えるようになっており、所定枚数のコイン２１を投入口１５に投入することで遊技を開始することができるようになっている。投入口１５は、その長辺１５ａ，１５ｂが雀球機２の前後方向と略平行とされており、コイン２１の円形面を雀球機２の前後方向と略平行にしてコイン２１を投入できるようになっている。
【００４３】
左案内溝１４ａ、右案内溝１４ｂは、投入口１５の長辺１５ａ、１５ｂから外側に向けて延びるように形成された溝であり、コイン２１を投入口１５に円滑に案内するためのものである。具体的には、左案内溝１４ａ、右案内溝１４ｂにコイン２１の円形面が雀球機２の前後方向と平行になるように立設させ、そのまま投入口１５に向けて溝に沿って案内すると、投入口１５にそのコイン２１が落下するようになっている。投入口１５の左右両側に溝が形成されているので、遊技者は投入口１５の左右どちら側からでもコイン２１を円滑に案内して投入することができる。
【００４４】
左壁部材１６ａは、投入口１５の外側に配置され、右案内溝１４ｂに沿って案内されたコイン２１に対して当接し、そのコイン２１の投入口１５への投入を補助する機能を有する。左壁部材１６ａには、右案内溝１４ｂに沿って案内されたコイン２１に当接する当接面１６ｃが形成されている。当接面１６ｃは、投入口１５の長辺１５ａと略平行な鉛直面としてその長辺１５ａの上方に位置することが可能とされており、当接面１６ｃに当接させたコイン２１をそのまま当接面１６ｃに沿わせて垂直落下させれば投入口１５に円滑にコイン２１を投入することができるようになっている。
【００４５】
左壁部材１６ａには、情報表示面（情報表示部）１６ｅが形成されている。情報表示面１６ｅは、左壁部材１６ａの当接面１６ｃの上縁から外側（左側）に延びた湾曲面として形成されている。情報表示面１６ｅは、遊技者から視認容易な比較的広めの湾曲面となっており、遊技者に対して所定の情報を表示することができるようになっている。本実施の形態１では、情報表示面１６ｅには、コイン２１を投入口１５の右側から投入すれば円滑に投入できることを示すために、「こちらからコインを投入」の文字と矢印とが所定の情報として表示されている。
【００４６】
右壁部材１６ｂも左壁部材１６ａと同様に、当接面が形成され、左案内溝１４ａに沿って案内されたコイン２１の投入口１５への投入を補助する機能を有する。また、情報表示面も形成され、遊技者に対して所定の情報を表示することができるようになっており、コイン２１を投入口１５の左側から行うことを遊技者に示すための情報（文字と矢印，図示せず。）が表示されている。
【００４７】
本実施の形態１では、投入口１５と左右案内溝１４ａ，１４ｂとがどちらも案内部材１４に形成されているが、これらを別々の部材に形成しても構わない。また、本実施の形態１では、当接面が投入口１５の長辺１５ａ，１５ｂの略鉛直延長線上に位置してコイン投入を補助する機能を発揮しているが、当接面の位置は長辺１５ａ，１５ｂよりも内側であっても同様の機能を発揮することができる。さらに、本実施の形態１では当接面を鉛直平面としているが、傾きを有する平面として形成してももちろん構わない。
【００４８】
左壁部材１６ａ、右壁部材１６ｂは後に詳説する収容空間１４ｃ内に配置されたガイドローラ２３によって矢印Ｙ，Ｚの方向に移動可能とされている。左壁部材１６ａ、右壁部材１６ｂは、図３（ａ），（ｂ）に示すようにその移動によって、コイン２１の投入を補助する位置（補助位置３８ａ）とコイン２１の投入を補助しない位置（非補助位置３８ｂ）との間を移動することができる。
【００４９】
したがって、遊技者は投入口１５の右側からコイン２１を投入したい場合には、左壁部材１６ａを補助位置３８ａに位置させ、右壁部材１６ｂを非補助位置３８ｂに位置させればよい。コイン２１を右案内溝１４ｂに沿って案内すればそのコイン２１を投入口１５に投入できるようになり、その投入を左壁部材１６ａが補助する。逆に、投入口１５の左側からコイン２１を投入したい場合には右壁部材１６ｂを補助位置３８ａに位置させ、左壁部材１６ａを非補助位置３８ｂに位置させればよい。
【００５０】
収容空間１４ｃは、案内部材１４内に形成された空間である。収容空間１４ｃは、投入口１５の後側に形成されており、左右壁部材１６ａ，１６ｂを収容するためのものである。収容空間１４ｃの内部には複数のガイドローラ２３が回転可能に配置されている。ガイドローラ２３は、左右壁部材１６ａ，１６ｂに形成された情報表示面を挟み込んで、左右壁部材１６ａ，１６ｂの移動方向を矢印Ｙ，Ｚで示す方向に規制するとともに、その移動動作を円滑にする機能を有する。
【００５１】
収容開口１４ｄは、案内部材１４に形成された開口であり、その内部は収容空間１４ｃに繋がっている。収容開口１４ｄは、壁部材１６ａ，１６ｂが補助位置３８ａと非補助位置３８ｂとの間を移動する際に、壁部材１６ａ，１６ｂが収容空間１４ｃに出入りするための出入口としての機能を有する。この収容開口１４ｄを通じて左右壁部材１６ａ，１６ｂが収容空間１４ｃに出入りし、収容空間１４ｃから左右壁部材１６ａ，１６ｂが突出した位置が補助位置３８ａとなっており、収容空間１４ｃに左右壁部材１６ａ，１６ｂが収容された位置が非補助位置３８ｂとなっている。
【００５２】
壁部材１６ａ，１６ｂは、非補助位置３８ｂに位置するときは収容空間１４ｃに収容されているので、遊技者がコイン２１を投入する際に邪魔になることもなく、また、見栄えを悪くすることもない。
【００５３】
投入口１５から所定枚数のコイン２１が投入されると、この雀球機２による遊技が開始可能となり、液晶表示部３２ａに所定個数の麻雀牌図柄が手持ち牌として配牌されて画像表示される。
【００５４】
遊技者が操作ボタン３２ｂの操作により手持ち牌の中から不要牌を選択すると、球発射可能となり、遊技者がハンドル３０を手動操作して球発射を行い、球２０が１つの下部入球口２８に入球すると、その下部入球口２８に対応する麻雀牌図柄が液晶表示部３２ａ上に表示され、手持ち牌に補充される。
【００５５】
再び遊技者が不要牌を選択して球発射を行い、球２０が入球した下部入球口２８に対応する麻雀牌が補充される。この操作を所定回数（例えば、１１回。）繰り返した結果、手持ち牌が所定のアガリ役になっていれば、景品としてのコイン２１が受皿１７に向けて払い出される。
【００５６】
以上のようにして一連の遊技が行われるのであるが、この雀球機２において遊技者は一連の遊技を行うたびにコイン２１を投入口１５に投入することとなり、遊技者がストレスを感じないようにコイン２１を投入できるようにすることが重要となる。
【００５７】
本実施の形態１に係る雀球機２のコイン投入ユニット１３においては、左壁部材１６ａと右壁部材１６ｂのどちらを補助位置３８ａに位置させるか選択することで、遊技者はコイン２１の投入方法（投入方向）を選択することができる。したがって、遊技者は自身の利き腕や体型に合わせてコイン２１の投入方法（投入方向）を選択できるため、ストレスを感じることなくコインを投入することができるようになっている。
【００５８】
なお、本実施の形態１では投入口１５を、その長辺１５ａ，１５ｂが雀球機２の前後方向と平行となるように構成しているが、雀球機２の幅方向と平行にして、投入口１５の前後からコイン２１を投入できるように構成しても構わない。
【００５９】
［実施の形態２］
以下、本発明の実施の形態２について図面を用いて説明する。図４は、本発明の実施の形態２に係る遊技機としての雀球機１０２のコイン投入ユニット１１３部分を拡大した部分拡大図である。雀球機１０２は筐体枠（枠体の一部、図示せず。）、遊技盤（図示せず。）、機枠（枠体の一部、図示せず。）、前面ガラス（前面透明板、図示せず。）、装飾枠１１２、コイン投入ユニット１１３、ハンドル（図示せず。）、受皿（図示せず。）を有している。
【００６０】
このうち筐体枠、遊技盤、機枠、前面ガラス、装飾枠１１２、ハンドル、受皿の機能・構成については実施の形態１と略同様であるので詳細は省略する。
【００６１】
コイン投入ユニット１１３は、装飾枠１１２の幅方向中央から左に偏った位置に配置されている。コイン投入ユニット１１３は、案内部材１１４、左壁部材（補助壁部材）１１６ａ、右壁部材（補助壁部材）１１６ｂを有して構成されている。案内部材１１４には投入口１１５、左案内溝（案内路）１１４ａ、右案内溝（案内路）１１４ｂ、収容空間（収容部）１１４ｃ、収容開口１１４ｄが形成されている（図５（ａ），（ｂ）も参照。）。
【００６２】
投入口１１５は略長方形の開口形状を呈しており、遊技開始のためにコイン１２１を投入するための開口である。投入口１１５から投入されたコイン１２１は略垂直に落下し、遊技機内に収容される。本実施の形態２では、所定枚数（例えば、３枚。）のコイン１２１で１回の遊技が行えるようになっており、コイン１２１を所定枚数投入口１１５に投入することで遊技を開始することができるようになっている。投入口１１５は、その長辺１１５ａ，１１５ｂが雀球機１０２の前後方向と略平行とされており、コイン１２１の円形面を雀球機１０２の前後方向と略平行にしてコイン１２１を投入できるようになっている。
【００６３】
左案内溝１１４ａ、右案内溝１１４ｂは、投入口１１５の長辺１１５ａ、１１５ｂから外側に向けて延びるように形成された溝であり、コイン１２１を投入口１１５に円滑に案内するためのものである。具体的には、左案内溝１１４ａ、右案内溝１１４ｂに立設させたコイン１２１をそのまま投入口１１５に向けて滑らせるように案内すると、投入口１１５にそのコイン１２１が落下するようになっている。投入口１１５の左右両側に溝が形成されているので、遊技者は投入口の左右どちら側からでもコイン１２１を円滑に案内して投入させることができる。
【００６４】
装飾枠１１２の幅方向側方側の長辺１１５ａから延びる溝である左案内溝１１４ａの中心軸１１４ｅは、長辺１１５ａから離れるほど後側に向かうように構成されている。したがって、遊技者は投入口１１５の左側からコイン１２１を投入する場合には、左案内溝１１４ａ上のコイン１２１を自身のほうに引き寄せるようにして案内すればよい。遊技者はコイン１２１を自身のほうに引き寄せるという自然な動作でコイン１２１を投入することができるのでストレスを感じにくくなる。
【００６５】
装飾枠１１２の幅方向中央側の長辺１１５ｂから延びる溝である右案内溝１１４ｂの中心軸１１４ｆは、長辺１１５ｂから離れるほど前側に向かうように構成されている。したがって、遊技者は投入口１１５の右側からコイン１２１を投入する場合には、右案内溝１１４ｂ上のコイン１２１を自身の斜め前方に押し出すようにして案内するようになっている。遊技者はコイン１２１を自身の斜め前方に押し出すという自然な動作でコイン１２１を投入することができるのでストレスを感じにくくなる。
【００６６】
したがって、遊技者は投入口１１５の左右どちらからコイン１２１を投入するか選択可能なうえに、左右どちらから投入する場合でも、自然な動作でコイン１２１を投入することができるので、一層ストレスを感じにくくなる。
【００６７】
左壁部材１１６ａは、投入口１１５の外側に配置され、右案内溝１１４ｂに沿って案内されたコイン１２１に対して当接し、そのコイン１２１の投入口１１５への投入を補助する機能を有する。左壁部材１１６ａには、右案内溝１１４ｂに沿って案内されたコイン１２１に当接する当接面１１６ｃが形成されている。当接面１１６ｃは、投入口１１５の長辺１１５ａと略平行な鉛直面としてその長辺１１５ａの上方に位置することが可能とされており、当接面に当接させたコイン１２１をそのまま当接面に沿わせて垂直落下させれば投入口に円滑にコイン１２１を投入することができるようになっている。右壁部材１１６ｂも左壁部材１１６ａと同様に、当接面１１６ｄが形成され、左案内溝１１４ａに沿って案内されたコイン１２１の投入口１５への投入を補助する機能を有する。
【００６８】
左壁部材１１６ａ、右壁部材１１６ｂは後に詳説する収容空間１１４ｃ内に収容され、矢印Ｐ，Ｑの方向に移動可能とされている。左壁部材１１６ａ、右壁部材１１６ｂは、図５（ａ），（ｂ）に示すようにその移動によって、コイン１２１の投入を補助する位置（補助位置１３８ａ）とコイン１２１の投入を補助しない位置（非補助位置１３８ｂ）との間を移動することができる。
【００６９】
したがって、遊技者は投入口１１５の右側からコイン１２１を投入したい場合には、左壁部材１１６ａを補助位置１３８ａに位置させ、右壁部材１１６ｂを非補助位置１３８ｂに位置させればよい。コイン１２１を右案内溝１１４ｂに沿って案内すればそのコイン１２１を投入できるようになる。逆に、投入口１１５の左側からコイン１２１を投入したい場合には右壁部材１１６ｂを補助位置１３８ａに位置させ、左壁部材１１６ａを非補助位置１３８ｂに位置させればよい。
【００７０】
収容空間１１４ｃは、案内部材１１４内に形成された空間である。収容空間１１４ｃは、投入口１１５の後側に形成されており、壁部材１１６ａ，１１６ｂを収容するためのものである。
【００７１】
収容開口１１４ｄは、案内部材１１４に形成された開口であり、その内部は収容空間１１４ｃに繋がっている。収容開口１１４ｄは、左右壁部材１１６ａ，１１６ｂが補助位置１３８ａと非補助位置１３８ｂとの間を移動する際に壁部材１１６ａ，１１６ｂが収容空間１１４ｃに出入りするための出入口としての機能を有する。この収容開口１１４ｄを通じて左右壁部材１１６ａ，１１６ｂが収容空間１１４ｃに出入りし、収容空間１１４ｃから左右壁部材１１６ａ，１１６ｂが突出した位置が補助位置１３８ａとなっており、収容空間１１４ｃに左右壁部材１１６ａ，１１６ｂが収容された位置が非補助位置１３８ｂとなっている。
【００７２】
左右壁部材１１６ａ，１１６ｂは、収容空間１１４ｃに押し込み可能とされており、非補助位置１３８ｂにある左右壁部材１１６ａ，１１６ｂが押し込まれると補助位置１３８ａに配置され、補助位置１３８ａにある左右壁部材１１６ａ，１１６ｂが押し込まれると非補助位置１３８ｂに配置されるようになっている。この左右壁部材１１６ａ，１１６ｂのスイッチ動作は収容空間１１４ｃ内に構成されたスイッチ機構（図示せず。）によって実現されるが、この機構は種々の公知技術で実現可能であるので詳細は省略する。
【００７３】
壁部材１１６ａ，１１６ｂは、非補助位置１３８ｂに位置するときは収容空間１１４ｃに収容されているので、遊技者がコイン１２１を投入する際に邪魔になることもなく、また、見栄えを悪くすることもない。
【００７４】
［実施の形態３］
以下、本発明の実施の形態３について図面を用いて説明する。図６は本発明の実施の形態３に係るコイン投入ユニット２１３の外観斜視図である。コイン投入ユニット２１３は、案内部材２１４、左壁部材（補助壁部材）２１６ａ、右壁部材（補助壁部材）２１６ｂを有して構成されている。案内部材２１４には投入口２１５、左案内溝（案内路）２１４ａ、右案内溝（案内路）２１４ｂ、収容空間（収容部）２１４ｃ、収容開口２１４ｄが形成されている（図７（ａ），（ｂ）も参照。）。
【００７５】
投入口２１５、左案内溝２１４ａ、右案内溝２１４ｂは本実施の形態１に記載のものと略同様の機能・構成であるので詳細は省略する。
【００７６】
左壁部材２１６ａ、右壁部材２１６ｂは後に詳説する収容空間２１４ｃ内に収容され、矢印Ｒ，Ｓの方向に移動可能とされている。左壁部材２１６ａ、右壁部材２１６ｂは、図７（ａ），（ｂ）に示すようにその移動によって、コインの投入を補助する位置（補助位置２３８ａ）とコインの投入を補助しない位置（非補助位置２３８ｂ）との間を移動することができる。
【００７７】
収容空間２１４ｃは、案内部材２１４内に形成された空間である。収容空間２１４ｃは、投入口２１５の後側に形成されており、壁部材２１６ａ，２１６ｂを収容するためのものである。
【００７８】
収容開口２１４ｄは、案内部材２１４に形成された開口であり、その内部は収容空間２１４ｃに繋がっている。収容開口２１４ｄは、左右壁部材２１６ａ，２１６ｂが補助位置２３８ａと非補助位置２３８ｂとの間を移動する際に壁部材２１６ａ，２１６ｂが収容空間２１４ｃに出入りするための出入口としての機能を有する。左右壁部材２１６ａ，２１６ｂが、この収容開口２１４ｄを通じて左右壁部材２１６ａ，２１６ｂが収容空間２１４ｃを出入りし、収容空間２１４ｃから左右壁部材２１６ａ，２１６ｂが突出した位置が補助位置２３８ａとなっており、収容空間２１４ｃに左右壁部材２１６ａ，２１６ｂが収容された位置が非補助位置２３８ｂとなっている。
【００７９】
左壁部材２１６ａと右壁部材２１６ｂとは、収容空間２１４ｃ内でリンク部材（自動切換部）２１８によって連結されている。左壁部材２１６ａと右壁部材２１６ｂとは、リンク部材２１８で連結されているので、一方の壁部材が矢印Ｒの方向に移動（つまり、補助位置２３８ａに移動。）すると、他方の壁部材が連動して矢印Ｓの方向に移動（つまり、非補助位置２３８ｂに移動。）するようになっている。
【００８０】
したがって、遊技者が左右どちらか一方の壁部材を補助位置２３８ａに移動させれば、他方の壁部材は非補助位置２３８ｂに自動的に移動されるので、遊技者はそれぞれの壁部材をわざわざ移動させる手間が省け、大変便利である。
【００８１】
以上、本発明の好ましい実施の形態を説明したが、本発明はこれらに限定されるものではなく、その要旨の範囲内で様々な変形や変更が可能である。
【図面の簡単な説明】
【００８２】
【図１】本発明の実施の形態１に係る雀球機の外観斜視図である。
【図２】図１に示す雀球機におけるコイン投入ユニット部分を拡大した部分拡大図である。
【図３】図１に示す雀球機におけるコイン投入ユニットの横断面図であって、（ａ）壁部材が非補助位置にある状態を示す図、（ｂ）壁部材が補助位置にある状態を示す図である。
【図４】本発明の実施の形態２に係る雀球機におけるコイン投入ユニット部分を拡大した部分拡大図である。
【図５】図４に示す雀球機におけるコイン投入ユニットの横断面図であって、（ａ）壁部材が補助位置にある状態を示す図、（ｂ）壁部材が非補助位置にある状態を示す図である。
【図６】本発明の実施の形態３に係るコイン投入ユニットの外観斜視図である。
【図７】図６に示す雀球機におけるコイン投入ユニットの横断面図であって、（ａ）壁部材が補助位置にある状態を示す図、（ｂ）壁部材が非補助位置にある状態を示す図である。
【符号の説明】
【００８３】
Ｘ，Ｙ，Ｚ，Ｐ，Ｑ，Ｒ，Ｓ：矢印
２：雀球機（遊技機）
４：筐体枠（枠体）
６：遊技盤（遊技装置体）
６ａ：遊技盤面
８：機枠（枠体）
１０：前面ガラス（前面透明板）
１２：装飾枠
１２ａ：中央開口
１２ｂ：膨出部
１３：コイン投入ユニット
１４：案内部材
１４ａ：左案内溝（案内路）
１４ｂ：右案内溝（案内路）
１４ｃ：収容空間（収容部）
１４ｄ：収容開口
１５：投入口
１５ａ，１５ｂ：長辺
１６ａ：左壁部材（補助壁部材）
１６ｂ：右壁部材（補助壁部材）
１６ｃ：当接面
１６ｅ：情報表示面（情報表示部）
１７：受皿
１８：ヒンジ部（揺動支持部）
２０：球（遊技媒体）
２１：コイン
２２：ランプ
２３：ガイドローラ
２４：通過口（ゲート）
２６：入球口
２８：下部入球口
３０：ハンドル
３０ａ：回転支軸部
３０ｂ：レバー部
３２ａ：液晶表示部
３２ｂ：操作ボタン
３６：装飾部材
３８ａ：補助位置
３８ｂ：非補助位置
１０２：雀球機（遊技機）
１１２：装飾枠
１１３：コイン投入ユニット
１１４：案内部材
１１４ａ：左案内溝（案内路）
１１４ｂ：右案内溝（案内路）
１１４ｃ：収容空間（収容部）
１１４ｄ：収容開口
１１４ｅ，１１４ｆ：中心軸
１１５：投入口
１１５ａ，１１５ｂ：長辺
１１６ａ：左壁部材（補助壁部材）
１１６ｂ：右壁部材（補助壁部材）
１１６ｃ，１１６ｄ：当接面
１２１：コイン
１３８ａ：補助位置
１３８ｂ：非補助位置
２１３：コイン投入ユニット
２１４：案内部材
２１４ａ：左案内溝（案内路）
２１４ｂ：右案内溝（案内路）
２１４ｃ：収容空間（収容部）
２１４ｄ：収容開口
２１５：投入口
２１６ａ：左壁部材（補助壁部材）
２１６ｂ：右壁部材（補助壁部材）
２１８：リンク部材（自動切換部）
２３８ａ：補助位置
２３８ｂ：非補助位置
【図１】
2008220459.tif 000003
【図２】
2008220459.tif 000004
【図３】
2008220459.tif 000005
【図４】
2008220459.tif 000006
【図５】
2008220459.tif 000007
【図６】
2008220459.tif 000008
【図７】
2008220459.tif 000009